(57)【要約】  本発明は、サイトカイニン、好ましくは６−ＢＡＰをランへ投与することにより、該ランの花序数を増加させる方法を記載しており、好ましくは、前記ランは単軸的な成長をし、より好ましくは、前記ランはＰｈａｌａｅｎｏｐｓｉｓ属又はＤｏｒｉｔａｅｎｏｐｓｉｓ属のものである。発明の更なる部分は、２を超える花序を有した株である。【特許請求の範囲】
【請求項１】
Ｐｈａｌａｅｎｏｐｓｉｓ属又はＤｏｒｉｔａｅｎｏｐｓｉｓ属の典型的なランにおいて、開化を誘導するために該ランを低温期に暴露する前又は暴露している間、該ランにサイトカイニンを投与することにより、花茎の数を増やす方法。
【請求項２】
前記サイトカイニンが合成サイトカイニンであり、好ましくは６−ＢＡＰ（６−ベンジルアミノプリン）である、請求項１記載の方法。
【請求項３】
株あたりのサイトカイニン投与量が、株あたり約２ ｍｇ〜約３０ ｍｇ、好ましくは株あたり約５ ｍｇ〜約２６ ｍｇ、より好ましくは株あたり約１０ ｍｇ〜約２４ ｍｇ、最も好ましくは株あたり約２０ ｍｇである、請求項１又は２に記載の方法。
【請求項４】
前記サイトカイニンの水溶液中の濃度が約１００ ｐｐｍ〜約１５００ ｐｐｍ、好ましくは約２５０ ｐｐｍ〜約１３００ ｐｐｍ、より好ましくは約５００ ｐｐｍ〜約１２００ ｐｐｍ、最も好ましくは約６００〜１０００ ｐｐｍの範囲である、請求項１〜３のうち１項に記載の方法。
【請求項５】
前記サイトカイニンの投与が、前記サイトカイニンを含む溶液を噴霧することにより行われる、請求項１〜４のいずれかに記載の方法。
【請求項６】
前記噴霧後のランは約６時間〜約１４時間暗所に保たれる、請求項１〜５の１項に記載の方法。
【請求項７】
前記噴霧溶液が、湿潤剤、好ましくはＺｉｐｐｅｒ（登録商標）、及び／又は共溶媒、好ましくはＤＭＳＯを更に含む、請求項４又は請求項５に記載の方法。
【請求項８】
発根ホルモン、好ましくはＮＡＡが前記サイトカイニンの投与前に前記ランの根に投与される、請求項１〜７のいずれかに記載の方法。
【請求項９】
前記ランを結論１〜８のいずれかに記載の方法で処理することにより２を超える花茎を有するランを生産する方法。
【請求項１０】
花茎の数の平均が２．９以上、好ましくは２．５以上、そして更に好ましくは２．１以上である、５以上の株のランのグループを、結論１〜８のいずれかに記載の方法で前記ランのグループを処理することにより生産する方法。
【請求項１１】
平均の花茎の数が２．９以上、好ましくは２．５以上又は更に好ましくは２．１以上である、Ｐｈａｌａｅｎｏｐｓｉｓ属又はＤｏｒｉｔａｅｎｏｐｓｉｓ属の同一品種の１０００以上のランの株のグループ。
【請求項１２】
４を超える花茎を有する、Ｐｈａｌａｅｎｏｐｓｉｓ属又はＤｏｒｉｔａｅｎｏｐｓｉｓ属のラン。
【請求項１３】
請求項１記載の方法を使用する際の、Ｐｈａｌａｅｎｏｐｓｉｓ属又はＤｏｒｉｔａｅｎｏｐｓｉｓ属のランにおける、不定花序の形成を誘起するサイトカイニンの使用。
【請求項１４】
合成サイトカイニンを含む、請求項１２に記載のラン又は請求項１１に記載されたグループに属するラン。
【発明の詳細な説明】
【技術分野】
【０００１】
本発明はラン、より具体的にはＰｈａｌａｅｎｏｐｓｉｓの改良された栽培方法に関する。
【背景技術】
【０００２】
鉢植えのランの販売は、過去３０年にわたって着実に増加した。２０００年の卸売りのランの売上高は、約１００，０００，０００ドルであり、その約７５％をＰｈａｌａｅｎｏｐｓｉｓが占める（Ｇｒｉｅｓｂａｃｈ， Ｒ．Ｊ． ２００２年、「Ｄｅｖｅｌｏｐｍｅｎｔ ｏｆ Ｐｈａｌａｅｎｏｐｓｉｓ Ｏｒｃｈｉｄｓ ｆｏｒ ｔｈｅ Ｍａｓｓ Ｍａｒｋｅｔ」、ｐ． ４５８−４６５、『Ｔｒｅｎｄｓ ｉｎ ｎｅｗ ｃｒｏｐｓ ａｎｄ ｎｅｗ ｕｓｅｓ』、Ｊａｎｉｃｋ Ｊ． 及びＷｈｉｐｋｅｙ Ａ． 編、バージニア州Ａｌｅｘａｎｄｒａ、ＡＳＨＳ Ｐｒｅｓｓ）。
【０００３】
Ｐｈａｌａｅｎｏｐｓｉｓ、すなわち胡蝶蘭（ｍｏｔｈ 又は ｂｕｔｔｅｒｆｌｙ ｏｒｃｈｉｄ）は、Ｏｒｃｈｉｄｉａｃｅａｅ科の１属であり、この属には少なくとも６０の異なる属が含まれる。しかし、近年多くの品種および交配種が商用目的に生産され、その結果豊富な品揃えの鉢植えの花が生産されている。これらの交配種のうち重要なグループはＰｈａｌａｅｎｏｐｓｉｓ属の株とＤｏｒｉｔｉｓ属の株との一代交配から生ずるＤｏｒｉｔａｅｎｏｐｓｉｓ属の株から形成される。一方、Ｐｈａｌａｅｎｏｐｓｉｓ又はＤｏｒｉｔａｅｎｏｐｓｉｓとのさらなる交配による非常に多くの亜品種（Ｓｕｂｖａｒｉｅｔｙ）が知られている。従って、「Ｐｈａｌａｅｎｏｐｓｉｓ及びＤｏｒｉｔａｅｎｏｐｓｉｓ属のラン」という用語には、これらのうちどれか一つと交配することにより作られたすべての交配種が含まれる。
【０００４】
すべてのランは以下の５つの特徴を有する：
−芯柱の存在
−花が左右対称である
−花粉が互いにくっつき、花糸上で、ろう状塊の花粉塊となっている
−種子は顕微鏡を用いて見るほど小さく、胚乳（貯蔵栄養分）を有しない
−種子は、自然状態では、特殊化された菌と共生することによってのみ、発芽し得る。一方、人為環境下に於いては、専門の研究所において、滅菌した培地又は寒天上で「インビトロ」での発芽が可能である。
【０００５】
Ｐｈａｌａｅｎｏｐｓｉｓ（並びにＤｏｒｉｔａｅｎｏｐｓｉｓ）は、単軸的に成長する習性を示す。直立に成長する根茎は、厚肉質で楕円形（ｅｌｌｅｐｔｉｃａｌ）の葉を、先端から１又は２の互生で１年ごとに生ずる。より古く基部にある葉は同じ速度で落ちる。このように、前記株は、４〜５枚の葉を保つ。これらに偽鱗茎は含まれない。総状花序（花茎（ｆｌｏｗｅｒｉｎｇ  ｓｔｅｍ又はｓｔａｌｋ）、穂状花序（ｓｐｉｋｅ）又は花序（ｉｎｆｌｏｒｅｓｃｅｎｃｅ））は、葉と葉の間の茎から現れる。Ｐｈａｌａｅｎｏｐｓｉｓは、典型的には単一の総状花序を生じ、これは最大２５個の花からなる。晩冬又は春先に開花するＰｈａｌａｅｎｏｐｓｉｓ種及び交配種には、花序の出現のきっかけとなるように、２５℃〜３０℃（培養）ないし１５℃〜２０℃（分化誘導）で約６週間の暴露期間が必要である（Ｒｅｐｏｒｔ ”Ｃｕｌｔｉｖａｔｉｏｎ Ｇｕｉｄｅｌｉｎｅｓ Ｐｈａｌａｅｎｏｐｓｉｓ Ｐｏｔ Ｐｌａｎｔ． Ａｎｔｈｕｒａ Ｂ．Ｖ． ａｎｄ Ｂｕｒｅａｕ ＩＭＡＣ Ｂｌｅｉｓｗｉｊｋ Ｂ．Ｖ．， ｈｔｔｐ：／／ｗｗｗ．ａｎｔｈｕｒａ．ｎｌ）。株においては、スパイキング（ｓｐｉｋｉｎｇ）(＝花序の出現)に適した温度に暴露されている間、光の存在に対する絶対的な要求が存在する。該株は一年中販売されるが、冬は販売に重要な季節である。このことは、冬季に販売する必要のある株については、低温誘導（ｃｏｌｄ  ｉｎｄｕｃｔｉｏｎ）を夏期に行わなければならないことを意味する。これは、温室を少なくとも２０℃まで冷やす必要があり、そのため、この株を生長させるためのコストが増加するということを意味する。
【０００６】
ホルモン、特にサイトカイニンによる処理により、新芽の成長（ＪＰ９２３３９６２及びＮａｙａｋ， Ｎ．Ｒ．ら， １９９８， Ｉｎ Ｖｉｔｒｏ Ｃｅｌｌ． Ｄｅｖ． Ｂｉｏｌ． − Ｐｌａｎｔ ３４：１８５−１８８）、又はインビトロ（Ｋｏｓｔｅｎｙｕｋ， Ｉ．ら， １９９９年， Ｐｌａｎｔ Ｃｅｌｌ Ｒｅｐｏｒｔｓ， １９：１−５； Ｋｉｍ， Ｔ．−Ｊ．ら， １９９９年， Ｊ． Ｋｏｒ． Ｓｏｃ． Ｈｏｒｔ． Ｓｃｉ． ４０：６１９−６２２； Ｄｕａｎ， Ｊ．−Ｘ． 及び Ｙａｚａｗａ Ｓ．， １９９５ａ， Ｐｌａｎｔ Ｃｅｌｌ， Ｔｉｓｓｕｅ ａｎｄ Ｏｒｇａｎ Ｃｕｌｔｕｒｅ， ４３：７１−７４）並びにインビボ（Ｙｏｎｅｄａ， Ｋ．及びＭｏｍｏｓｅ， Ｈ．， １９９０年， Ｂｕｌｌ． Ｃｏｌｌ． Ａｇｒ． ＆ Ｖｅｔ． Ｍｅｄ．， Ｎｉｈｏｎ Ｕｎｉｖ．， ４７：７１−７４； 及びＤｕａｎ， Ｊ．−Ｘ． ａｎｄ Ｙａｚａｗａ， Ｓ．， １９９５ｂ， Ａｃｔａ Ｈｏｒｔｉｃｕｌｔｕｒａｅ ３９７：１０３−１１０）におけるランの開花が誘発され得ることはすでに従来技術において公知である。
【０００７】
１つの株からより多くの花序を産生することは、それによって株あたりより多くの花が産生され、該株の価値が上昇するため、望ましい。前記低温誘導の長さ及び温度に応じて、Ｐｈａｌａｅｎｏｐｓｉｓの株からは、通常１又は２つの、例外的に３つの、そして非常に例外的には、４つの花茎が誘導される。
【０００８】
上記の従来技術に於いて、多数の花茎が存在することは、通常の既存の栽培方法によって期待され得るものである。ただし、１又は２の花茎をさらに現す株はほとんど存在しない。ホルモン処理により多数の花茎を誘導することについては、芽をサイトカイニンでインビトロ処理することが記載されているのみであり（Ｄｕａｎ， Ｊ．−Ｘ． ｅｎ Ｙａｚａｗａ， Ｓ， １９９５ｂ上掲）、このなかで、インビボ実験をも同時に記載した著者は、これら後者の株に於ける花茎数の増加を報告しなかった。更に、当該技術に於いては、ホルモン処理と低温誘導とを組み合わせたものについての言及はなされていない。
【０００９】
従って、ランの複数の総状花序を誘導する方法が更に必要である。
【特許文献１】特開平０９−２３３９６２（ＪＰ９２３３９６２）
【非特許文献１】Ｇｒｉｅｓｂａｃｈ， Ｒ．Ｊ． ２００２年、「Ｄｅｖｅｌｏｐｍｅｎｔ ｏｆ Ｐｈａｌａｅｎｏｐｓｉｓ Ｏｒｃｈｉｄｓ ｆｏｒ ｔｈｅ Ｍａｓｓ Ｍａｒｋｅｔ」、ｐ． ４５８−４６５、『Ｔｒｅｎｄｓ ｉｎ ｎｅｗ ｃｒｏｐｓ ａｎｄ ｎｅｗ ｕｓｅｓ』、Ｊａｎｉｃｋ Ｊ． 及びＷｈｉｐｋｅｙ Ａ． 編、バージニア州Ａｌｅｘａｎｄｒａ、ＡＳＨＳ Ｐｒｅｓｓ
【非特許文献２】Ｒｅｐｏｒｔ”Ｃｕｌｔｉｖａｔｉｏｎ Ｇｕｉｄｅｌｉｎｅｓ Ｐｈａｌａｅｎｏｐｓｉｓ Ｐｏｔ Ｐｌａｎｔ． Ａｎｔｈｕｒａ Ｂ．Ｖ． ａｎｄ Ｂｕｒｅａｕ ＩＭＡＣ Ｂｌｅｉｓｗｉｊｋ Ｂ．Ｖ．， ｈｔｔｐ：／／ｗｗｗ．ａｎｔｈｕｒａ．ｎｌ
【非特許文献３】Ｎａｙａｋ， Ｎ．Ｒ．ら， １９９８， Ｉｎ Ｖｉｔｒｏ Ｃｅｌｌ． Ｄｅｖ． Ｂｉｏｌ． − Ｐｌａｎｔ ３４：１８５−１８８
【非特許文献４】Ｋｏｓｔｅｎｙｕｋ， Ｉ．ら， １９９９年， Ｐｌａｎｔ Ｃｅｌｌ Ｒｅｐｏｒｔｓ， １９：１−５
【非特許文献５】Ｋｉｍ， Ｔ．−Ｊ．ら， １９９９年， Ｊ． Ｋｏｒ． Ｓｏｃ． Ｈｏｒｔ． Ｓｃｉ． ４０：６１９−６２２
【非特許文献６】Ｄｕａｎ， Ｊ．−Ｘ． 及び Ｙａｚａｗａ Ｓ．， １９９５ａ， Ｐｌａｎｔ Ｃｅｌｌ， Ｔｉｓｓｕｅ ａｎｄ Ｏｒｇａｎ Ｃｕｌｔｕｒｅ， ４３：７１−７４
【非特許文献７】Ｙｏｎｅｄａ， Ｋ．及びＭｏｍｏｓｅ， Ｈ．， １９９０年， Ｂｕｌｌ． Ｃｏｌｌ． Ａｇｒ． ＆ Ｖｅｔ． Ｍｅｄ．， Ｎｉｈｏｎ Ｕｎｉｖ．， ４７：７１−７４
【非特許文献８】Ｄｕａｎ， Ｊ．−Ｘ． ａｎｄ Ｙａｚａｗａ， Ｓ．， １９９５ｂ， Ａｃｔａ Ｈｏｒｔｉｃｕｌｔｕｒａｅ ３９７：１０３−１１０
【発明の開示】
【課題を解決するための手段】
【００１０】
発明の概要
本発明者は、開花を誘導するためにランを低温期（ｃｏｌｄ  ｐｅｒｉｏｄ）に暴露する期間前又は期間中に、前記ランへサイトカイニンを投与することにより、Ｐｈａｌａｅｎｏｐｓｉｓ属又はＤｏｒｉｔａｅｎｏｐｓｉｓ属のランの花序数を増加させる方法を見出した。前記サイトカイニンは、好ましくは、６−ＢＡＰ（６−ベンジルアミノプリン）であり、株あたり約２ ｍｇから約３０ ｍｇ、好ましくは株あたり約５ ｍｇから約２６ ｍｇ、より好ましくは株あたり約１０ ｍｇから約２４ ｍｇの範囲、最も好ましくは株あたり約２０ ｍｇの濃度で投与してよい。噴霧水溶液中においては、約１００ ｐｐｍから約１５００ ｐｐｍ、好ましくは約２５０ ｐｐｍから約１３００ ｐｐｍ、より好ましくは約５００ ｐｐｍから約１２００ ｐｐｍ、最も好ましくは約６００〜１０００ ｐｐｍの範囲の濃度となる。
【００１１】
本発明の好ましい実施形態は、前記サイトカイニンを含む溶液を噴霧することによりサイトカイニンの投与をするものである。また、前記ランはサイトカイニンの取り込みをより良くするために、噴霧後約６時間から約１４時間の期間、暗所に保たれる。同様の効果、すなわちサイトカイニンの取り込みの強化が、温室の相対湿度を上げることにより達成することができる。これらの処置は温室の中と外の気候条件に応じて別々に行ってよい。また、より良い取り込みのために、噴霧溶液が、さらに湿潤剤、好ましくはＺｉｐｐｅｒ（登録商標）、及び／又は共溶媒、好ましくはＤＭＳＯを含んでいてもよい。
【００１２】
更に好ましい実施形態には、発根ホルモン、好ましくはＮＡＡをランへ投与することが含まれる（ＮＡＡの取り込みは葉と根の双方で行われる）。発根ホルモンの投与は好ましくは若い株を鉢植えに移す時点で行われ、低温誘導期間の約４週間前まで行うことができる。
【００１３】
本発明の以下の実施形態は、Ｐｈａｌａｅｎｏｐｓｉｓ属又はＤｏｒｉｔａｅｎｏｐｓｉｓ属のランであり、４つを上回るの花序を有している。また、花序の数が平均して２．９を超え、好ましくは２．５を超え、より好ましくは２．１を超える、１０００以上の同一品種のＰｈａｌａｅｎｏｐｓｉｓ属又はＤｏｒｉｔａｅｎｏｐｓｉｓ属のラン群は、本発明の請求の範囲に含まれる。また、ランにおける不定花序（ａｄｖｅｎｔｉｔｉｏｕｓ ｉｎｆｌｏｒｅｓｃｅｎｃｅ）の形成を誘導するためにサイトカイニンを使用すること、及び花序を誘導するための低温期間の必要性をなくすか又は減じるためにサイトカイニンを使用することも考えられる。
【発明を実施するための最良の形態】
【００１４】
発明の詳細な説明
サイトカイニンは、シュート及び芽の有糸分裂（細胞分裂）を増加させる効果を有している。サイトカイニンの中には、植物細胞の大きさ又は数を増やし、そして例えば、葉を大きくするものがある。細胞分化を制御することができ（例えば、カルスを作るため）、根の成長は抑制される。サイトカイニンはアデニン誘導体であり、カイネチンは例えば、核酸を加熱することによって合成することができる。公知のサイトカイニンとしては、２ｉＰ Ｎ６−（３−メチルブト−２−エニル）アデニン、カイネチン（６−フルフリルアミノプリン）、ベンジルアデニン（Ｎ６−ベンジルアデニン）、ＢＡ又はＢＡＰ（６−ベンジルアミノプリン）ゼアチン、アデニン硫酸塩（２Ｃ5Ｈ5Ｎ5・Ｈ2ＳＯ4）、及びチジアズロン（１−フェニル−３−（１、２、３−チアジアゾール−５−イル）ウレア）がある。ラン生産の組織培養の間、シュートの再生を誘導するために、サイトカイニンは頻繁に用いられる。更に、サイトカイニンはランにｋｅｉｋｉ（ｋｅｉｋｉとは（花をつける）茎に沿った節の一つから成長する小さな株である。）を誘導するために用いることができることが示された。多くの場合、これらのｋｅｉｋｉは開花後、サイトカイニン（ｋｅｉｋｉペーストとして市販されている。例えば、Ｐｌａｎｔ Ｈｏｒｍｏｎｅｓ Ｃａｎａｄａ社のＫｅｉｋｉＧｒｏｗ）を用いることにより誘導される。しかし、サイトカイニン（ＢＡ又はＰＢＡ及びＧＡの組み合わせ）の使用により、成長中のものではなく成熟した偽鱗茎に使用することで、Ｄｅｎｄｒｏｂｉｕｍに於けるスパイキングのきっかけを与えることを示した一方、Ｐｈａｌａｅｎｏｐｓｉｓのオフシーズンでのスパイキングを誘導することはできなかったと報告された（Ｗａｎｇ， Ｙ−Ｔ．： Ｍｅｄｉｕｍ， Ｎｕｔｒｉｔｉｏｎ ａｎｄ Ｆｌｏｗｅｒ Ｉｎｄｕｃｔｉｏｎ ｉｎ Ｐｏｔｔｉｎｇ Ｂｌｏｏｍｉｎｇ Ｏｒｃｈｉｄｓ， ＡＳＨＳ−２０００ Ｓｙｍｐｏｓｉｕｍ， ｈｔｔｐ：／／ｐｒｉｍｅｒａ．ｔａｍｕ．ｅｄｕ／ｏｒｃｈｉｄｓ／ｗａｎｇ．ｈｔｍ）。この失敗の考えられる一つの原因は、Ｄｅｎｄｒｏｂｉｕｍに於ける花序の成長はいわゆる偽鱗茎で起こり、これはＰｈａｌａｅｎｏｐｓｉｓに存在しないということである。
【００１５】
しかし、本発明者は、サイトカイニンの使用により、ラン、特に単軸性の成長をするラン、好ましくは偽鱗茎を有しないラン、そしてより好ましくはＰｈａｌａｅｎｏｐｓｉｓ又はＤｏｒｉｔａｅｎｏｐｓｉｓにおいて、不定花序（ａｄｖｅｎｔｉｔｉｏｕｓ ｉｎｆｌｏｒｅｓｃｅｎｃｅ）の出現が引き起こされることを見出した。サイトカイニンを使用すると、時に、更に４以上の花茎が現れるようである。これらの更なる穂状花序は、いわゆる２次花茎とは対照的に、元のランとおよそ同等であり、多数の花をつけることもできる（最適な生育条件の下で）。
【００１６】
一般的には鉢植えのラン、そして具体的にはＰｈａｌａｅｎｏｐｓｉｓの栽培及び生産は、クローン大量生産のための組織工学が利用可能になったことにより、近年飛躍的に進歩した。１９７０年代以降、Ｐｈａｌａｅｎｏｐｓｉｓに特有のいくつかの組織培養プロトコルが開発された。これらの組織移植片（主として花茎からの移植片）は、年間何１００万という苗を生産可能な大規模施設で苗に再生する。種からランを栽培することも可能であり、種からは約１５か月後に鉢植え可能な苗ができる。栽培者は、これらの小さな苗を得、開花の誘導を始める前に、更に（少なくとも更に２０週間）栽培する。より低い温度の下で約６週間の後、花茎をつけた株を、開花し始めたばかりの株、つまり販売可能な製品に育てるのに、更に約１６週間かかる。苗から開花した株への栽培は、温度調整の必要性から、ほぼ例外なく温室で行われる。
【００１７】
通常、該株は約２５℃〜約３０℃、好ましくは約２７℃の温度に保たれる。開花の誘導が必要となる際、温度は約１５℃〜約２０℃に、好ましくは約１８℃に下げられる。温帯気候の夏において、これらの温度は外気温と類似するため、この低温期は先の２７℃への加温を止めるだけで実現可能で、その結果、温室の温度は外気温まで下がる。しかし、この外気温は決して一定ではなく、また、（暑い夏においては）最大２０℃の望ましい温度を容易に超えるため、多くの栽培者は能動冷却を選択する。
【００１８】
サイトカイニンを使用することにより、能動冷却を最小限にすることが可能となり、そして、さらに花序を誘導することも可能となった。この処理により、低温誘導が最小限となるだけでなく、通常の低温誘導を用いた場合よりも多くの花茎が生まれるようである。低温誘導された株は、通常、１つのみ（又は２つ）の花茎を発達させるが、サイトカイニンで処理することにより、通常、２つの花茎を生み、多くの場合、２つを上回る花茎を生む。
【００１９】
花茎の数は、主として株の齢（実際には、葉の数及び（それによって規定される）１次花茎が成長することのできる芽の数）と関係する。株の頂部３つの葉は若すぎるため花茎の形成に影響を与えないが、その下のいずれの対も、１つの花茎の基礎を形成することができる。株の齢が古ければ古い程、即ち、葉（まだ存在する葉又はもう存在しない葉）が多ければ多いほど、前記ランが花茎を形成する可能性が高くなる。従って、原理的には、２を超える（最大４の）花茎は非常に老齢の株から生成することができるが、これには老齢の株の使用が必要とされるので、花茎の数を増やすのには経済的に費用効率のよい方法ではない。
【００２０】
更に、典型的には、Ｐｈａｌａｅｎｏｐｓｉｓ属及びＤｏｒｉｔａｅｎｏｐｓｉｓ属の株は上記に当てはまる。いくつかの例外も存在し、それらは標準的に多数の花茎を生むが、なお双方の属の一つに分類されるべきである。これらはＰ． ａｍａｂｉｌｉｓ及びＰ．”Ａｎｔｈｕｒａ Ｇｏｌｄ”である。この適用の目的上、これらは特殊な株とみなされ、一方、従来の栽培で通常１つ又は時に２つの花茎をつける該株は、Ｐｈａｌａｅｎｏｐｓｉｓ属及びＤｏｒｉｔａｅｎｏｐｓｉｓ属の典型的な株と考えられる。
【００２１】
好ましくは、合成サイトカイニンが用いられ、最も好ましくは、コストの低いこと（天然のサイトカイニンの精製は時間がかかり、高価である）からＢＡＰが用いられる。更に、合成サイトカイニンは使用される濃度においては、植物に対しても、ヒトを含む動物に対しても毒性を有しない(ＴＡＰ Ｒｅｐｏｒｔ ｆｏｒ ６−ｂｅｎｚｙｌａｄｅｎｉｎｅ， Ｊａｎｕａｒｙ ２００４、ｈｔｔｐ：／／ｗｗｗ．ａｍｓ．ｕｓｄａ．ｇｏｖ／ｎｏｐ／ＮａｔｉｏｎａｌＬｉｓｔ／６ＢｅｎｚｙｌａｄｅｎｉｎｅＦｉｎａｌｎｏＣＢＩ．ｐｄｆ)。本発明の合成サイトカイニンは、サイトカイニン活性を示し、天然に、特に植物には見いだせない（例えば、チジアズロン、ベンジルアデニン及び６−ベンジルアミノプリン）。
【００２２】
サイトカイニンの使用は、従来のいかなる方法でも行うことができるが、多くの株を有する温室に於いては、水溶液と共に噴霧することによりサイトカイニンを使用することが好ましい。噴霧されるサイトカイニン濃度は種々のものであり得るが、約１００ ｐｐｍ〜約１５００ ｐｐｍ、好ましくは、約２５０ ｐｐｍ〜約１３００ ｐｐｍ、より好ましくは、約５００ ｐｐｍ〜約１２００ ｐｐｍ、最も好ましくは約６００〜１０００ ｐｐｍの範囲であるべきである。
【００２３】
噴霧は、約２０，０００の株に対して、約１００リットルの量の噴霧溶液で行われる。従って、それぞれの株には、噴霧溶液が約１／２００リットル、すなわち５ ｍｌ与えられる。防カビ剤及び／又は殺虫剤を使用する際に通常用いられる、一つ又は複数のノズルを有した、５−２５バール圧力ポンプのような標準的な噴霧装置を用いて噴霧を行うことができる。このような装置は市販されている。この装置は、好ましくは、葉の表面及び裏面の双方が噴霧溶液と接するように、前記噴霧溶液を噴霧する。
【００２４】
個々の株に使用されるサイトカイニンの上記の好ましい濃度を再計算すると、株あたり約２〜約３０ ｍｇ、好ましくは、株あたり約５ ｍｇ〜約２６ ｍｇ、より好ましくは、株あたり１０ ｍｇ〜約２４ ｍｇ、もっとも好ましくは、株あたり約２０ ｍｇとなる。
【００２５】
噴霧溶液の他に、当該分野において公知の他の方法、例えば、粉体被覆（ｐｏｗｄｅｒｃｏａｔｉｎｇ）、エレクトロスプレーによる方法、散水の通常の技術（例えば、エブアンドフラッド技術（ｅｂｂ−ａｎｄ ｆｌｏｏｄｔｅｃｈｎｉｑｕｅ））による方法、或いは、株に直接若しくは隣接させて、例えば、ペースト状、パッチ状若しくは細片状で使用する方法、又は基質にサイトカイニンを徐放するプラントスティックによる方法、に従ってサイトカイニンを使用することもできる。
【００２６】
株によるサイトカイニンの取り込みを増加させるため、共溶媒又は湿潤剤のような添加剤を、サイトカイニン溶液に添加してもよい。本発明で好ましく用いられる１つの共溶媒はＤＭＳＯであり、好ましくは、噴霧溶液１００リットルあたり１リットルの終濃度まで添加される。湿潤剤としては、市販のＺｉｐｐｅｒ（登録商標）（オランダ、ＤｅｌｆｔのＡｓｅｐｔａ社より入手可能で有機的に変性させたトリシロキサン）を、噴霧溶液１００リットルあたり１０−５００ ｍｌ、好ましくは１００ ｍｌ／リットルの終濃度で用いることができる。
【００２７】
一般的に、該株によるサイトカイニンの取り込みを増加させるあらゆる手段を用いることができる。上述の湿潤剤Ｚｉｐｐｅｒ（登録商標）の他に、液体の表面張力を減少させる他の化合物も同様に適用できる。ＤＭＳＯのような、サイトカイニンの浸透を増大させる剤（Ｂｒｏｏｍｅ， Ｏ． Ｃ， Ｚｉｍｍｅｒｍａｎ， Ｒ．Ｈ．， (１９７６) Ｊ． Ａｍｅｒ． Ｓｏｃ． Ｈｏｒｔ． Ｓｃｉ． １０１：２８−３０）も本発明において有用である。
【００２８】
サイトカイニンの前記株による取り込みを更に増加させるために、該株は噴霧直後に光源から、例えばビニールテントで覆われてもよい。このように人工的に夜の環境を作り出すことにより、該株の気孔が開き、取り込みが容易となる。更に、光量が少ないことから、噴霧溶液の蒸発は最小限となり、これにより、噴霧された溶液はより長い間株と接した状態となる。更に、テントについては、換気量の減少により、蒸発は減少し、空気中の相対湿度は増加し、取り込みも増加する。
【００２９】
ランは成長するために光を必要とするため、該株の覆いは、好ましくは約４〜４８時間継続するのみである。覆いを取り除いた後、低温条件で更に３〜７週間、好ましくは、約５週間株の成長を継続させる。その後再び温度を高温に、すなわち、好ましくは約１８℃〜２５℃に調整し、更に８〜２３週間、市場性の高い早咲きの株となるまで発育させる。
【００３０】
このように、サイトカイニンの投与は、好ましくは低温誘導期間中又は低温誘導期間終期に行われる。低温誘導期の初め又は直前の投与が最も好ましい。しかし、低温誘導期より充分前（最大１０週間前、好ましくは、１、２若しくは３週間前）又は低温誘導期のすぐ後（最大５週間後）に該投与を行うことも可能である。
【００３１】
温室内での前記株の生育環境は、上記の光及び温度の違いを除きずっと同一である。好ましくは、このことは、株が１０〜２０ ｃｍの直径の鉢に、樹皮、ココナツ、スタイロフォーム、ミズゴケ及び芝の生育培地と共に鉢植えされている、ということを意味する。好ましくは、取扱いを容易にするため、鉢はテーブルの高さの棚に保管される。鉢表面の光強度は３０００〜１５０００ルクスである（Ｓｃｈａｐｅｎｄｏｎｋ， Ａ．Ｈ．Ｃ．Ｍ．，”Ｂｅｌｉｃｈｔｉｎｇ Ｐｈａｌａｅｎｏｐｓｉｓ”， ＰＴ−Ｐｒｏｊｅｃｔ １２１７０， ｐｒｏｄｕｃｔｖｅｒｓｌａｇ， Ｐｒｏｄｕｃｔｓｃｈａｐ Ｔｕｉｎｂｏｕｗを参照されたい）。通常の昼光が保たれるが、好ましくは、冬季は、照明オン：照明オフの時間の割合が１４：１０を適用する。散水は好ましくは自動化され、スプリンクラー装置又は以下のいずれかの噴霧装置、つまり、エブアンドフローシステム、棚に沿って走る樋を介したもの、又は鉢を水たらいに浸すことによりにより管理される。栄養剤及び／又は肥料は、定期的に該水に与えられる（ＥＣ ０．５−２， ＮＰＫ ２０−２０−２０）。書籍（「Ｃｕｌｔｉｖａｔｉｏｎ Ｇｕｉｄｅｌｉｎｅｓ Ｐｈａｌａｅｎｏｐｓｉｓ Ｐｏｔ Ｐｌａｎｔｓ」、上掲）も参照されたい。
【００３２】
本発明の好ましい実施形態は、根の成長を促進するホルモン、例えば市販の発根ホルモン（ｒｏｏｔｉｎｇ  ｈｏｒｍｏｎｅ）製品を更に使用するものである。水及び栄養の最適な取り込みを確保するために、よく発達した根系が、特に１より多い花茎を支持する必要がある際に、必須である。従って、更なる花茎を支持できるように更なる根の成長を誘導するため、該水及び栄養剤に発根ホルモン物質を添加することが好ましい。好ましくは、発根ホルモンは、誘導のための冷却をする４週間前まで、鉢植え可能な株を植え替える際に与えられる。
【実施例】
【００３３】
実施例１
２００４年６月、３群のＰｈａｌａｅｎｏｐｓｉｓの株を鉢植えの６ヶ月後、誘導した。試験のため１００の株が処理され、１００の未処理の対照群を品種（ｖａｒｉｅｔｙ）ごとに用いた。両群の株を上記のように栽培した。スパイキングの誘導は、１０００ ｐｐｍの６−ＢＡＰ（ＢＡＰ−１０、米国ケンタッキー州Ｌｏｕｉｓｖｉｌｌｅ、Ｐｌａｎｔｗｉｓｅ社）、０．１％のＺｉｐｐｅｒ、１％のＤＭＳＯの溶液を前記処理した株に噴霧することにより、２８週の時点で始めた。一方、対象群にはこの処理を行わなかった。表１の結果は、異なる実験群についての株ごとの花茎の数を示す。
【００３４】
【表１】
2009517018.tif 000002
【００３５】
この実験によると、少なくとも1種あたり５株のランの群、又は一品種あたり１０、２０、３０、４０、５０、１００、若しくは１０００株のランの群を、上記の方法により生産することができ、これらは平均して２を上回る花茎を有している。このような群を、１品種あたり５以上の対照株のランダムな群から区別するためには、処理をした株の群は少なくとも平均２．９以上、好ましくは２．５以上、そして、さらに好ましくは２．１以上の花茎を有していると言える。これらの総状花序は、開花する花を支持できる場合もあれば、できない場合もある。
【図面の簡単な説明】
【００３６】
【図１】図１は４つの花茎を現すＰｈａｌａｅｎｏｐｓｉｓ  Ｈｙｂｒｉｄの株である。
【図２】図２に実施例１の結果を示す。
【図１】
2009517018.tif 000003
【図２】
2009517018.tif 000004
【国際調査報告】
2009517018.tif 000005
2009517018.tif 000006
2009517018.tif 000007
2009517018.tif 000008